(57)【要約】【課題】印刷実行をトリガーとすることなく、送り部の摩耗情報を報知することができる印刷装置を提供する。【解決手段】検出開始操作を受け付ける操作キー８２と、操作キー８２が検出開始操作を受け付けた場合に、ファンフォールド紙Ｐを送る検出送り動作を行うプラテンローラー３と、プラテンローラー３を駆動する送りモーター４と、検出送り動作に基づいて、ファンフォールド紙Ｐの単位送り量当たりの、送りモーター４の駆動量である単位駆動量を検出する制御部９と、検出された単位駆動量である検出駆動量に基づいて、検出送り動作時におけるプラテンローラー３の摩耗状態に関する摩耗情報を報知するディスプレイ８１とを備えた。【選択図】図２
2016215503.tif 000002
【特許請求の範囲】
【請求項１】
検出開始操作を受け付ける開始操作部と、
前記開始操作部が前記検出開始操作を受け付けた場合に、印刷媒体を送る検出送り動作を行う送り部と、
前記送り部を駆動する駆動部と、
前記検出送り動作に基づいて、前記印刷媒体の単位送り量当たりの、前記駆動部の駆動量である単位駆動量を検出する制御部と、
検出された前記単位駆動量である検出駆動量に基づいて、前記検出送り動作時における前記送り部の摩耗状態に関する摩耗情報を報知する報知部と、
を備えたことを特徴とする印刷装置。
【請求項２】
前記検出開始操作を受け付けるための開始操作画面を表示する表示部、をさらに備えたことを特徴とする請求項１に記載の印刷装置。
【請求項３】
前記制御部は、前記送り部の稼動量が反映された稼動値を記憶する記憶部、を有し、
前記制御部は、前記記憶部から前記稼動値が削除された状態か否かを判断し、
前記制御部は、前記記憶部から前記稼動値が削除された状態と判断した場合に、前記開始操作画面を前記表示部に表示させることを特徴とする請求項２に記載の印刷装置。
【請求項４】
前記制御部は、前記検出駆動量、第１摩耗状態における前記送り部の前記単位駆動量である第１駆動量、および前記第１摩耗状態よりも摩耗した第２摩耗状態における前記送り部の前記単位駆動量である第２駆動量、に基づいて、前記第１摩耗状態から前記第２摩耗状態までの前記送り部の摩耗度に対する、前記第１摩耗状態から前記検出送り動作時までの前記送り部の摩耗度の割合である摩耗率を算出し、
前記報知部は、前記摩耗情報として、算出された前記摩耗率を報知することを特徴とする請求項１ないし３のいずれか一項に記載の印刷装置。
【請求項５】
前記制御部は、前記送り部の稼動量が反映された稼動値を記憶する記憶部、を有し、
前記制御部は、前記検出駆動量に基づいて、前記検出送り動作時における前記稼動値を推定し、推定した前記稼動値に基づいて、前記記憶部に記憶された前記稼動値を更新することを特徴とする請求項１ないし４のいずれか一項に記載の印刷装置。
【請求項６】
前記送り部により送られる前記印刷媒体に対して、印刷を行う印刷部、をさらに備え、
前記印刷部は、前記検出送り動作が行われている際に、前記印刷媒体に対して印刷を行わないことを特徴とする請求項１ないし５のいずれか一項に記載の印刷装置。
【請求項７】
検出開始操作を受け付けた場合に、送り部が印刷媒体を送る検出送り動作を行い、
前記検出送り動作に基づいて、前記印刷媒体の単位送り量当たりの、前記送り部の駆動量である単位駆動量を検出し、
検出された前記単位駆動量である検出駆動量に基づいて、前記検出送り動作時における前記送り部の摩耗状態に関する摩耗情報を報知する
ことを特徴とする印刷装置における報知方法。
【発明の詳細な説明】
【技術分野】
【０００１】
本発明は、印刷媒体を送る送り部を備えた印刷装置および印刷装置における報知方法に関するものである。
【背景技術】
【０００２】
従来、印刷中に印刷用紙を送る搬送ローラーと、印刷中の印刷用紙の移動量と目標移動量との差が所定の閾値を超えたか否かを判定する制御部と、所定の閾値を超えたと判定された場合に点灯することによって、搬送ローラーが摩耗したことをユーザーに報知する警告灯と、を備えたサーマルプリンターが知られている（特許文献１参照）。
【先行技術文献】
【特許文献】
【０００３】
【特許文献１】特開２０１１−２４５８０６号公報
【発明の概要】
【発明が解決しようとする課題】
【０００４】
本発明者は、以下の課題を見出した。
従来のサーマルプリンターのような印刷装置では、印刷を実行した場合にしか、送り部が摩耗したことを報知することができない。
【０００５】
本発明は、印刷実行をトリガーとすることなく、送り部の摩耗情報を報知することができる印刷装置および印刷装置における報知方法を提供することを課題としている。
【課題を解決するための手段】
【０００６】
本発明の印刷装置は、検出開始操作を受け付ける開始操作部と、開始操作部が検出開始操作を受け付けた場合に、印刷媒体を送る検出送り動作を行う送り部と、送り部を駆動する駆動部と、検出送り動作に基づいて、印刷媒体の単位送り量当たりの、駆動部の駆動量である単位駆動量を検出する制御部と、検出された単位駆動量である検出駆動量に基づいて、検出送り動作時における送り部の摩耗状態に関する摩耗情報を報知する報知部と、を備えたことを特徴とする。
【０００７】
この構成では、検出開始操作をトリガーとして、報知部が送り部の摩耗情報を報知する。したがって、本構成によれば、印刷実行をトリガーとすることなく、送り部の摩耗情報を報知することができる。
【０００８】
この場合、検出開始操作を受け付けるための開始操作画面を表示する表示部、をさらに備えたことが好ましい。
【０００９】
この構成では、表示部に開始操作画面が表示された状態で、開始操作部による検出開始操作が受け付けられる。
【００１０】
この場合、制御部は、送り部の稼動量が反映された稼動値を記憶する記憶部、を有し、制御部は、記憶部から稼動値が削除されたか否かを判断し、制御部は、記憶部から稼動値が削除されたと判断した場合に、開始操作画面を表示部に表示させることが好ましい。
【００１１】
記憶部から稼動値が削除された場合には、稼動値に基づいて送り部の摩耗状態をユーザーに把握させることができないため、検出駆動量に基づく送り部の摩耗情報の報知が特に必要とされる。そこで、本構成では、記憶部から稼動値が削除された場合に、表示部が開始操作画面を表示する。これにより、検出駆動量の検出に必要な検出送り動作のトリガーとなる検出開始操作を行うように、ユーザーに促すことができる。
【００１２】
この場合、制御部は、検出駆動量、第１摩耗状態における送り部の単位駆動量である第１駆動量、および第１摩耗状態よりも摩耗した第２摩耗状態における送り部の単位駆動量である第２駆動量、に基づいて、第１摩耗状態から第２摩耗状態までの送り部の摩耗度に対する、第１摩耗状態から検出送り動作時までの送り部の摩耗度の割合である摩耗率を算出し、報知部は、摩耗情報として、算出された摩耗率を報知することが好ましい。
【００１３】
この構成によれば、ユーザーに対して摩耗率を認識させることができる。
【００１４】
この場合、制御部は、送り部の稼動量が反映された稼動値を記憶する記憶部、を有し、制御部は、検出駆動量に基づいて、検出送り動作時における稼動値を推定し、推定した稼動値に基づいて、記憶部に記憶された稼動値を更新することが好ましい。
【００１５】
この構成によれば、記憶部に記憶された稼動値が誤って削除された場合にも、検出駆動量に基づいて稼動値を推定することで、稼動値を記憶部に記憶させることができる。
【００１６】
この場合、送り部により送られる印刷媒体に対して、印刷を行う印刷部、をさらに備え、印刷部は、検出送り動作が行われている際に、印刷媒体に対して印刷を行わないことが好ましい。
【００１７】
この構成によれば、印刷部が印刷媒体に対して印刷を行うことで消費される印刷材料および電力等を節約することができる。
【００１８】
本発明の印刷装置における報知方法は、検出開始操作を受け付けた場合に、送り部が印刷媒体を送る検出送り動作を行い、検出送り動作に基づいて、印刷媒体の単位送り量当たりの、送り部の駆動量である単位駆動量を検出し、検出された単位駆動量である検出駆動量に基づいて、検出送り動作時における送り部の摩耗状態に関する摩耗情報を報知することを特徴とする。
【００１９】
この構成では、検出開始操作をトリガーとして、送り部の摩耗情報を報知する。したがって、本構成によれば、印刷実行をトリガーとすることなく、送り部の摩耗情報を報知することができる。
【図面の簡単な説明】
【００２０】
【図１】図２に示した印刷装置によって印刷されるファンフォールド紙を示す図である。
【図２】本発明の一実施形態に係る印刷装置の構成図である。
【図３】図２に示した印刷装置が実行する摩耗情報表示処理を示すフローチャートである。
【図４】（ａ）は開始操作画面を示す図、（ｂ）は駆動量入力画面を示す図、（ｃ）はサイズ入力画面を示す図、（ｄ）は摩耗率表示画面を示す図である。
【発明を実施するための形態】
【００２１】
以下、添付の図面を参照し、本発明の一実施形態に係る印刷装置Ａについて説明する。この印刷装置Ａは、空港のチェックインカウンター等に設けられ、バッゲージタグやボーディングパス等を発行する機能を有する。
【００２２】
図１を参照して、印刷装置Ａにより印刷が行われるファンフォールド紙Ｐについて説明する。ファンフォールド紙Ｐは、帯状の連続紙である。ファンフォールド紙Ｐには、複数のミシン目Ｐ１と、複数のシート孔Ｐ２とが設けられる。複数のミシン目Ｐ１は、略等間隔に設けられる。ミシン目Ｐ１間の寸法を、用紙サイズＬという。ミシン目Ｐ１は、ファンフォールド紙Ｐの幅方向に沿って設けられる。ミシン目Ｐ１は、ファンフォールド紙Ｐを用紙サイズＬの長さ単位で切り離し可能とする。シート孔Ｐ２は、ミシン目Ｐ１と重なる位置に設けられ、ファンフォールド紙Ｐの幅方向に長い長孔に形成される。シート孔Ｐ２は、後述する光センサー７により検出される部位となる。このように構成されたファンフォールド紙Ｐは、ミシン目Ｐ１の位置で折り畳まれた状態で、印刷装置Ａに装着される給紙装置（図示省略）にセットされる。
【００２３】
図２を参照して、印刷装置Ａについて説明する。印刷装置Ａは、外装ケース１と、印刷ヘッド２と、プラテンローラー３と、送りモーター４と、カッター５と、カッターモーター６と、光センサー７と、操作パネル８と、制御部９とを備える。
【００２４】
外装ケース１には、印刷ヘッド２等が収納される。また、外装ケース１の外面には、操作パネル８が組み込まれる。外装ケース１には、給紙口１１と、排紙口１２とが設けられる。給紙口１１を介して、給紙装置から外装ケース１内へファンフォールド紙Ｐが供給される。また、排紙口１２を介して、外装ケース１内からファンフォールド紙Ｐが排出される。
【００２５】
印刷ヘッド２は、サーマルタイプのものであり、発熱駆動することにより、感熱紙であるファンフォールド紙Ｐに対して印刷を行う。
【００２６】
プラテンローラー３は、印刷ヘッド２に対向する位置に設けられる。プラテンローラー３は、印刷ヘッド２との間に挟持したファンフォールド紙Ｐを回転送りする。また、プラテンローラー３は、正逆回転可能である。すなわち、プラテンローラー３は、正逆一方に回転することで、ファンフォールド紙Ｐを排紙口１２へ向けて送り、正逆他方に回転することで、ファンフォールド紙Ｐを給紙口１１へ向けて送る。送りモーター４は、プラテンローラー３の駆動源となる。送りモーター４は、ステッピングモーターである。
【００２７】
なお、用紙サイズＬに相当するファンフォールド紙Ｐの送り量、すなわち、光センサー７によってシート孔Ｐ２が検出されてから次のシート孔Ｐ２が検出されるまでのファンフォールド紙Ｐの送り量を、単位送り量という。この単位送り量当たりの送りモーター４のステップ数を、単位駆動量という。さらに、単位駆動量を検出するためにプラテンローラー３がファンフォールド紙Ｐを送る動作を、検出送り動作という。この検出送り動作は、後述する摩耗情報表示処理において行われる。
【００２８】
カッター５は、印刷ヘッド２およびプラテンローラー３よりも排紙口１２側に設けられる。カッター５は、ファンフォールド紙Ｐを幅方向に沿って切断する。カッターモーター６は、カッター５の駆動源となる。
【００２９】
光センサー７は、印刷ヘッド２およびプラテンローラー３よりも給紙口１１側に設けられる。光センサー７は、透過型フォトインターラプターであり、発光素子７１と、受光素子７２とを備える。光センサー７は、発光素子７１と受光素子７２との間にファンフォールド紙Ｐが送られるように設けられる。発光素子７１は、受光素子７２に向けて検出光を発光する。受光素子７２は、ファンフォールド紙Ｐを介して到達した検出光を受光する。光センサー７は、受光素子７２が受光した検出光の光量に基づいた電圧を、制御部９に出力する。この出力電圧の変化に基づいて、ファンフォールド紙Ｐに設けられたシート孔Ｐ２の通過が検出される。
【００３０】
操作パネル８は、ユーザーインターフェースとして機能する。操作パネル８は、ディスプレイ８１と、複数の操作キー８２とを備える。ディスプレイ８１は、各種画面を表示する。操作キー８２は、ユーザーからの各種操作を受け付ける。
【００３１】
制御部９は、印刷装置Ａの各部を統括制御する。また、制御部９は、通信インターフェース９６（通信Ｉ／Ｆ）を介して、ホストコンピューターＨと接続されており、ホストコンピューターＨとの間で、各種コマンドや各種データを送受信する。制御部９は、ＣＰＵ９１（Central Processing Unit）と、ＲＯＭ９２（Read Only Memory）と、ＲＡＭ９３（Random Access Memory）と、ＮＶＲＡＭ９４（Non Volatile Random Access Memory）とを備え、これらがバス９５を介して相互に接続される。ＣＰＵ９１は、ＲＯＭ９２に記憶されたプログラムを、ＲＡＭ９３を用いて実行することにより、摩耗情報表示処理等の各種処理を実行する。
【００３２】
このように構成された印刷装置Ａは、ホストコンピューターＨから受信した印刷コマンドおよび印刷データに基づいて、印刷処理を行う。すなわち、印刷装置Ａは、プラテンローラー３によりファンフォールド紙Ｐを送りつつ、印刷ヘッド２によりファンフォールド紙Ｐに対して印刷を行う。そして、ファンフォールド紙Ｐの印刷済み部分の後方に位置するミシン目Ｐ１がカッター５の切断位置に位置するように、光センサー７によるシート孔Ｐ２の通過検出に基づいて、プラテンローラー３によりファンフォールド紙Ｐを送る。その後、カッター５により、ミシン目Ｐ１の位置でファンフォールド紙Ｐを切断する。このようにして、ファンフォールド紙Ｐに所望の印刷が行われたバッゲージタグ等が発行される。
【００３３】
ところで、ＮＶＲＡＭ９４には、出荷時からの印刷ドットライン数の累積値（以下「印刷ライン数」という。）が記憶される。この印刷ライン数は、プラテンローラー３の稼動量（回転量）が反映された値である。一方、印刷装置Ａの使用に応じてプラテンローラー３が摩耗して径が細くなると、その分、プラテンローラー３の一回転当たりの送り量が減少するため、本来印刷されるべき位置からずれた位置に印刷が行われることになる。そのため、印刷装置Ａに印刷不良が生じた場合に、プラテンローラー３の摩耗状態を確認するために、保守サービスマン等のユーザーによって、印刷ライン数が参照される。しかしながら、ファームウェアをカスタムファームウェアへ書き換える際などに、誤操作によって、ＮＶＲＡＭ９４に記憶されたデータが削除される場合がある。この場合、印刷ライン数もＮＶＲＡＭ９４から削除されるため、印刷ライン数からプラテンローラー３の摩耗状態を把握することができなくなる。そこで、印刷装置Ａは、ＮＶＲＡＭ９４に記憶された印刷ライン数が削除された場合にも、ユーザーがプラテンローラー３の摩耗状態を把握可能とすべく、摩耗情報表示処理を実行することにより、プラテンローラー３の摩耗状態に関する摩耗情報をディスプレイ８１に表示する。
【００３４】
図４を参照しつつ、図３に基づいて、制御部９が実行する摩耗情報表示処理について説明する。制御部９は、印刷装置Ａの電源がＯＮになると、摩耗情報表示処理を開始する。
【００３５】
制御部９は、ステップＳ１において、ＮＶＲＡＭ９４から印刷ライン数が削除された状態か否かを判断する。制御部９は、ＮＶＲＡＭ９４から印刷ライン数が削除された状態と判断した場合（Ｓ１；Ｙｅｓ）、ステップＳ２に進む。一方、制御部９は、ＮＶＲＡＭ９４から印刷ライン数が削除された状態にないと判断した場合（Ｓ１；Ｎｏ）、摩耗情報表示処理を終了する。なお、制御部９は、ＮＶＲＡＭ９４に印刷ライン数が記憶された状態にないか、または、ＮＶＲＡＭ９４に印刷ライン数として異常値が記憶された状態にある場合に、ＮＶＲＡＭ９４から印刷ライン数が削除されたと判断する。
【００３６】
制御部９は、ステップＳ２において、開始操作画面８１１（図４（ａ）参照）をディスプレイ８１に表示させる。開始操作画面８１１は、検出送り動作を開始させる検出開始操作を受け付けるための画面である。
【００３７】
制御部９は、ステップＳ３に進み、開始操作画面８１１が表示された状態で、操作キー８２が操作を受け付けたか否かを判断する。制御部９は、操作キー８２が操作を受け付けたと判断した場合（Ｓ３；Ｙｅｓ）、ステップＳ４に進む。一方、制御部９は、操作キー８２が操作を受け付けていないと判断した場合（Ｓ３；Ｎｏ）、ステップＳ３を繰り返し行う。
【００３８】
制御部９は、ステップＳ４において、操作キー８２が受け付けた操作が、検出開始操作であるか否かを判断する。制御部９は、操作キー８２が受け付けた操作が、検出開始操作である、すなわち「開始」が選択されたと判断した場合（Ｓ４；Ｙｅｓ）、ステップＳ５に進む。一方、制御部９は、操作キー８２が受け付けた操作が、検出開始操作ではない、すなわち「戻る」が選択されたと判断した場合（Ｓ４；Ｎｏ）、摩耗情報表示処理を終了した上で、メインメニュー画面（図示省略）をディスプレイ８１に表示させる。
【００３９】
制御部９は、ステップＳ５において、駆動量入力画面８１２（図４（ｂ）参照）をディスプレイ８１に表示させる。駆動量入力画面８１２は、基準用紙サイズＬ１、出荷前駆動量Ｄ１および耐久試験後駆動量Ｄ２の入力操作を受け付けるための画面である。ここで、基準用紙サイズＬ１とは、出荷前駆動量Ｄ１および耐久試験後駆動量Ｄ２の検出時に用いられたファンフォールド紙Ｐの用紙サイズＬのことである。出荷前駆動量Ｄ１とは、印刷装置Ａの出荷前に、摩耗する前の状態のプラテンローラー３により検出送り動作を行って検出された単位駆動量である。耐久試験後駆動量Ｄ２とは、耐久試験を経て、摩耗が進んだ状態のプラテンローラー３により検出送り動作を行って検出された単位駆動量である。
【００４０】
制御部９は、ステップＳ６に進み、駆動量入力画面８１２が表示された状態で、操作キー８２が、基準用紙サイズＬ１、出荷前駆動量Ｄ１および耐久試験後駆動量Ｄ２の入力操作を受け付けたか否かを判断する。制御部９は、操作キー８２が基準用紙サイズＬ１等の入力操作を受け付けたと判断した場合（Ｓ６；Ｙｅｓ）、ステップＳ７に進む。一方、制御部９は、操作キー８２が基準用紙サイズＬ１等の入力操作を受け付けていないと判断した場合（Ｓ６；Ｎｏ）、ステップＳ６を繰り返し行う。
【００４１】
制御部９は、ステップＳ７において、サイズ入力画面８１３（図４（ｃ）参照）をディスプレイ８１に表示させる。サイズ入力画面８１３は、測定用紙サイズＬ２の入力操作を受け付けるための画面である。ここで、測定用紙サイズＬ２とは、給紙装置に現にセットされたファンフォールド紙Ｐの用紙サイズＬのことである。
【００４２】
制御部９は、ステップＳ８に進み、サイズ入力画面８１３が表示された状態で、操作キー８２が測定用紙サイズＬ２の入力操作を受け付けたか否かを判断する。制御部９は、操作キー８２が測定用紙サイズＬ２の入力操作を受け付けたと判断した場合（Ｓ８；Ｙｅｓ）、ステップＳ９に進む。一方、制御部９は、操作キー８２が測定用紙サイズＬ２の入力操作を受け付けていないと判断した場合（Ｓ８；Ｎｏ）、ステップＳ８を繰り返し行う。
【００４３】
制御部９は、ステップＳ９において、プラテンローラー３に検出送り動作を行わせ、単位駆動量を検出する。検出された単位駆動量を、検出駆動量Ｄ３という。なお、検出送り動作が行われている際に、印刷ヘッド２によるファンフォールド紙Ｐへの印刷は行われない。
【００４４】
制御部９は、ステップＳ１０に進み、入力された基準用紙サイズＬ１と測定用紙サイズＬ２とが等しいか否かを判断する。制御部９は、基準用紙サイズＬ１と測定用紙サイズＬ２とが等しいと判断した場合（Ｓ１０；Ｙｅｓ）、ステップＳ１２に進む。一方、制御部９は、制御部９は、基準用紙サイズＬ１と測定用紙サイズＬ２とが等しくないと判断した場合（Ｓ１０；Ｎｏ）、ステップＳ１１に進む。
【００４５】
制御部９は、ステップＳ１１において、（１）式のように、基準用紙サイズＬ１と測定用紙サイズＬ２との比に基づいて、基準用紙サイズＬ１に対応した単位駆動量である出荷前駆動量Ｄ１を、測定用紙サイズＬ２に対応した単位駆動量である出荷前駆動量Ｄ１に更新し、ステップＳ１２に進む。
Ｄ１＝Ｄ１×（Ｌ２／Ｌ１）      （１）
同様に、制御部９は、ステップＳ１１において、（２）式のように、基準用紙サイズＬ１と測定用紙サイズＬ２との比に基づいて、基準用紙サイズＬ１に対応した単位駆動量である耐久試験後駆動量Ｄ２を、測定用紙サイズＬ２に対応した単位駆動量である耐久試験後駆動量Ｄ２に更新し、ステップＳ１２に進む。
Ｄ２＝Ｄ２×（Ｌ２／Ｌ１）      （２）
【００４６】
制御部９は、ステップＳ１２において、出荷前駆動量Ｄ１、耐久試験後駆動量Ｄ２および検出駆動量Ｄ３に基づいて、摩耗率Ｒを算出する。摩耗率Ｒは、出荷前の摩耗状態から耐久試験後の摩耗状態までのプラテンローラー３の摩耗度に対する、出荷時の摩耗状態から検出送り動作時までのプラテンローラー３の摩耗度の割合であり、（３）式によって算出される。
Ａ＝（Ｄ３−Ｄ１）／（Ｄ２−Ｄ１）×１００［％］      （３）
例えば、出荷前駆動量Ｄ１が１５００［ステップ］、耐久試験後駆動量Ｄ２が２０００［ステップ］、検出駆動量Ｄ３が１８００［ステップ］を示す場合、制御部９は、摩耗率Ｒを、（３）式に基づいて、６０［％］と算出する。
【００４７】
制御部９は、ステップＳ１３に進み、算出した摩耗率Ｒが示された摩耗率表示画面８１４（図４（ｄ）参照）を、ディスプレイ８１に表示させる。制御部９は、ステップＳ１３を実行した後、一連の摩耗情報表示処理を終了する。
【００４８】
以上のように、本実施形態の印刷装置Ａは、検出開始操作を受け付ける操作キー８２と、操作キー８２が検出開始操作を受け付けた場合に、ファンフォールド紙Ｐを送る検出送り動作を行うプラテンローラー３と、プラテンローラー３を駆動する送りモーター４と、検出送り動作に基づいて、単位駆動量を検出する制御部９と、検出駆動量Ｄ３に基づいて、検出送り動作時におけるプラテンローラー３の摩耗状態に関する摩耗情報として、摩耗率Ｒを表示するディスプレイ８１とを備える。
この構成では、検出開始操作をトリガーとして、ディスプレイ８１が摩耗率Ｒを表示する。したがって、本構成によれば、印刷実行をトリガーとすることなく、プラテンローラー３の摩耗率Ｒを表示することができる。これにより、ユーザーにプラテンローラー３の摩耗状態を把握させることができる。
【００４９】
印刷装置Ａは、検出開始操作を受け付けるための開始操作画面８１１を表示するディスプレイ８１を備える。
この構成では、ディスプレイ８１に開始操作画面８１１が表示された状態で、操作キー８２による検出開始操作が受け付けられる。
【００５０】
印刷装置Ａでは、制御部９が、プラテンローラー３の稼動量が反映された印刷ライン数を記憶するＮＶＲＡＭ９４、を有し、制御部９は、ＮＶＲＡＭ９４から印刷ライン数が削除された状態か否かを判断し、制御部９は、ＮＶＲＡＭ９４から印刷ライン数が削除された状態と判断した場合に、開始操作画面８１１をディスプレイ８１に表示させる。
ＮＶＲＡＭ９４から印刷ライン数が削除された場合には、印刷ライン数に基づいてプラテンローラー３の摩耗状態をユーザーに把握させることができないため、検出駆動量Ｄ３に基づくプラテンローラー３の摩耗率Ｒの表示が特に必要とされる。そこで、本構成では、ＮＶＲＡＭ９４から印刷ライン数が削除された場合に、ディスプレイ８１が開始操作画面８１１を表示する。これにより、検出駆動量Ｄ３の検出に必要な検出送り動作のトリガーとなる検出開始操作を行うように、ユーザーに促すことができる。
【００５１】
印刷装置Ａは、プラテンローラー３により送られるファンフォールド紙Ｐに対して、印刷を行う印刷ヘッド２を備える。印刷ヘッド２は、検出送り動作が行われている際に、ファンフォールド紙Ｐに対して印刷を行わない。
この構成によれば、印刷ヘッド２がファンフォールド紙Ｐに対して印刷を行うことで消費される印刷材料および電力等を節約することができる。
【００５２】
なお、操作キー８２は、「開始操作部」の一例である。ファンフォールド紙Ｐは、「印刷媒体」の一例である。プラテンローラー３は、「送り部」の一例である。送りモーター４は、「駆動部」の一例である。ディスプレイ８１は、「報知部」および「表示部」の一例である。ＮＶＲＡＭ９４は、「記憶部」の一例である。出荷前駆動量Ｄ１は、「第１駆動量」の一例である。耐久試験後駆動量Ｄ２は、「第２駆動量」の一例である。
本発明は上記した実施形態に限定されず、その趣旨を逸脱しない範囲で種々の構成を採用可能であることは言うまでもない。例えば、本実施形態は、以下のような形態に変更することができる。
【００５３】
制御部９は、検出駆動量Ｄ３に基づいて、検出送り動作時における印刷ライン数を推定し、推定した印刷ライン数に基づいて、ＮＶＲＡＭ９４に記憶された印刷ライン数を更新するようにしてもよい。この場合、制御部９は、予め実験等により得られた、検出駆動量Ｄ３から印刷ライン数を推定するための換算式等を記憶しておくことが好ましい。
この構成によれば、ＮＶＲＡＭ９４に記憶された印刷ライン数が誤って削除された場合にも、検出駆動量Ｄ３に基づいて印刷ライン数を推定することで、印刷ライン数をＮＶＲＡＭ９４に記憶させることができる。これ以後、ユーザーは、ＮＶＲＡＭ９４に記憶された印刷ライン数を参照することにより、プラテンローラー３の摩耗状態を把握することができる。すなわち、印刷装置Ａは、プラテンローラー３の摩耗状態をユーザーに把握させるために、その都度、摩耗情報表示処理を行う必要がない。
【００５４】
送りモーター４の駆動量としては、送りモーター４のステップ数に限定されるものではなく、例えば、送りモーター４の回転量を検出するためのロータリーエンコーダーから出力されるパルス数でもよく、送りモーター４の稼働時間でもよい。
プラテンローラー３の稼動量が反映された稼動値としては、印刷ライン数に限定されるものではなく、例えば、印刷ヘッド２の稼動時間でもよく、ファンフォールド紙Ｐの印刷区画数（ミシン目Ｐ１とミシン目Ｐ１の間を１区画とする）でもよい。
【００５５】
開始操作部としては、ディスプレイ８１と共に操作パネル８を構成する操作キー８２に限定されるものではなく、例えば、検出開始操作を受け付ける専用の操作ボタン等でもよい。この場合、ディスプレイ８１に開始操作画面８１１を表示しなくてもよい。
【００５６】
ディスプレイ８１は、プラテンローラー３の摩耗情報として、摩耗率Ｒに限らず、例えば、検出駆動量Ｄ３を表示してもよく、耐久試験後駆動量Ｄ２から検出駆動量Ｄ３を引いた差分を表示してもよい。
ディスプレイ８１は、開始操作画面８１１を、ＮＶＲＡＭ９４から印刷ライン数が削除されたと判断した場合に限らず、例えば、所定の操作を受け付けた場合に表示してもよい。
【００５７】
報知部としては、プラテンローラー３の摩耗情報を表示するディスプレイ８１に限定されるものではなく、例えば、プラテンローラー３の摩耗情報に応じて点灯するＬＥＤ（Light Emitting Diode）ランプでもよく、プラテンローラー３の摩耗情報に応じて鳴動するブザーであってよい。
【００５８】
印刷部の印刷方式としては、サーマル方式に限定されるものではなく、例えば、インクジェット方式でもよく、電子写真方式でもよい。
印刷媒体としては、ファンフォールド紙Ｐに限定されるものではなく、例えば、ロール紙など他の連続紙でもよく、単票紙でもよい。
【符号の説明】
【００５９】
３      ：プラテンローラー
４      ：送りモーター
９      ：制御部
８１    ：ディスプレイ
８２    ：操作キー
Ａ      ：印刷装置
Ｐ      ：ファンフォールド紙
【図１】
2016215503.tif 000003
【図２】
2016215503.tif 000004
【図３】
2016215503.tif 000005
【図４】
2016215503.tif 000006